(57)【要約】【課題】  犬が脱糞時において、枠に取り付けた袋に糞が落下途中で受け取ると共に枠が開閉できる犬の糞受け用具を提供する。    【解決手段】  成形可能な平鋼を垂直に用い複数の直線と円弧で構成する枠を中心部分で前枠１と後枠２が重合可能に二分割し、後枠２の両端に軸着用穴を上面に設けた連結板３を接合し、前枠１両端上面に設けた軸着用穴とを軸４で軸着する。前枠１、後枠２の外周に沿う弾性を有する突出部付半円形の袋押え５を左右端部の上部付近に遊嵌し、袋押え５で袋を係止する突起部６を前枠１と後枠２の両端に設けると共に前枠１前方に袋押さえ受け７と後枠２後方に二本の棒鋼でＬ形の下部とフック形の上部よりなる柄８の下部Ｌ形先端部を挿入し蝶ナット９で固定する。【選択図】図１
2012000006.tif 000002
【特許請求の範囲】
【請求項１】
成形可能な平鋼を垂直に用い複数の直線と円弧で構成する枠を中心部分で前枠と後枠が重合可能に二分割し、後枠の両端に軸着用穴を上面に設けた連結板を接合し、前枠両端上面に設けた軸着用穴とを軸で軸着する。前枠、後枠の外周に沿う弾性を有する突出部付半円形の袋押えを左右端部の上部付近に遊嵌し、袋押えで袋を係止する突起部を前枠と後枠の両端に設けると共に前枠前方に袋押さえ受けと後枠後方に二本の棒鋼でＬ形の下部とフック形の上部よりなる柄の下部Ｌ形先端部を挿入し蝶ナットで固定したことを特徴とする犬の糞受け用具。
【請求項２】
前枠、後枠と連結板を合成樹脂で一体成形したことを特徴とする請求項１に記載の犬の糞受け用具。
【発明の詳細な説明】
【技術分野】
【０００１】
犬が散歩時に排便する糞を地面に落下する途中で化成品の袋に直接捕捉できる開閉可能な犬の糞受け用具に関する。
【背景技術】
【０００２】
従来、犬の散歩時の糞処理方法は、地面に落ちた糞をスコップで掬いビニール袋等に入れる、市販の糞取り用具を使用して落下途中で糞を受け取る、落ちた糞を用具で掬い直接収容する、新聞紙、チラシ、ティシュペーパー等の紙類を広げてその上に糞を受け取る等があり、処理後は持ち帰って適切に処分されていると推測される。しかしながら一部の心無い人は糞をそのまま放置する、スコップで土に穴を掘って埋める、スコップで掬い草むら、田畑等目に見えない所に捨てて持ち帰ない場合も多く見られ犬糞公害として長年大きな社会的な問題となっており「犬の糞のあと始末をしましょう」の立て札はいろんな場所に設置されているがほとんど効果はなく無視されているように思える。
【０００３】
理想的な犬の糞処理方法は、前述の中では糞を落下途中で受け取ることである。一旦地面に落としてしまうと下に紙等が置いてある以外は落ちた場所の糞は完全には取りきれない場合が多いので不潔となり特に軟便は厄介である。従って、犬糞の無い清潔な環境をつくるには、犬の糞を落下途中で受け取ることが最適であり、これに使用するための犬の糞取り用具が各種開発され市販もされている。
【０００４】
「犬のウンチで汚れていない街づくり」を目指して活動を開始している「犬のふん取り法：ふん受け方法の普及をお手伝いするボランティアグループ」のＨＰによれば、犬の糞受け用具は現在まで５０種類以上が市販されているとのことである。これら市販品は、受け、柄、受け袋で構成されており、受けは、その構造により受け枠、受け箱、布製袋、網袋等を使用し、柄は、短柄、長柄、伸縮柄、中折れ柄等の種類があり、受け袋には、専用袋、汎用市販品袋、スーパーレジ袋等を使用し、袋には、透明、不透明、消臭袋等がある。又、受け袋を使用せず、受け、受け箱等で直接糞を受けとり、後で水洗いする種類もある。従って、それぞれに特徴があるので、犬の糞受け用具は、ペットショップ、ホームセンター等で実物を見て飼い犬にあったのを選定すればよいが、現状の売り場には、犬に関する他の商品は種類、数共に溢れているが糞取り用具関係の商品は非常に少ない。その原因は、それぞれに一長一短があり選定が難しく、飼い主には従来のビニール袋とスコップと言う固定観念が浸透しており犬の糞を途中で受け取ると言う意識が少ないのではないかと推察する。
【０００５】
本発明者は、先に、市販品に無い特徴のある犬の糞受け用具として、合金、合成樹脂等成形可能な素材よりなる中心線で２分割した左右対称の枠の外周に押え棒受け段差と、枠両端外周上部に押え棒制動用の突起部を設け、枠両側に化成品袋を突起部と、棒受け用段差で挟持する弾性を有する複数のつまみ付の押え棒を軸着し、左右の枠が重合できるように蝶着する。更に、片方の枠中央下側に合金、合成樹脂等の素材によりなる蝶着片を蝶着し、この蝶着片に、１本の合金、合成樹脂の丸棒又はパイプを中央より並列に曲げて蝶着片に差し込み固定して柄とする形態を提案している。（特許文献１）
【０００６】
更に、上述の犬の糞受け用具を改良した犬の糞受け用具として、アルミ製平板で中心線で二分割した半円形の前枠と後枠の左右端部にアルミ製Ｌ形の連結板を取り付けてそれぞれを蝶番で蝶着する。前枠、後枠にバネ鋼製で突起部付半円の袋押えを左右端部付近に遊嵌し、袋押えで袋を係止するピンと挟着する押え受けを前枠、後枠の円周上の任意の位置に設ける。後枠には二本のアルミ製棒鋼でＬ形の下部とフック形の上部で形成する柄の下部Ｌ形を中央部分に嵌入する形態を提案している。（特許文献２）
【先行技術文献】
【特許文献】
【０００７】
【特許文献１】特開２００２−０００１０８
【特許文献２】特願２０１０−６１７５４
【発明の概要】
【発明が解決しようとする課題】
【０００８】
発明が解決しようとする課題は、現在市販されている商品は犬糞を落下途中で受け取るが、それぞれ枠の形状、使用する袋の種類、受け袋の止め方、犬糞を受ける状態、価格等を個々に検討した場合に決定的な要因が無く、更なる改良を加えて使い勝っての良い商品にしなければ一般に受け入れられないのではないかと考える。従って、市販と名がついていても流通している商品は少なく目にする機会がなければ犬の糞処理は従来のビニール袋とスコップが当たり前となっているように思える。肝心なことは、犬の糞は途中で受け取るのが社会通念となるように官民が一体なって積極的に取り組めば（例えば用具の斡旋、補助制度等）犬の糞に対する長年の苦情は解決すると確信する。又、本発明者の前述の提案では前枠と後枠を合金、合成樹脂等成形可能な素材としているので後加工も含めて製造コストが高くなり、機能的には優れていても価格を高く設定しなくてはならないのと更なる利便性も求められている。又、次に提案した改良品においては、枠の素材をアルミ製とし開閉には蝶番を使用しているが実用性、形状、部品点数を再検討した結果、更なる改善をする必要があることが判明した。
【課題を解決するための手段】
【０００９】
上記の課題を解決するための手段は、成形可能な平鋼を垂直に用い複数の直線と円弧で構成する枠を中心部分で前枠と後枠が重合可能に二分割し、後枠の両端に軸着用穴を上面に設けた連結板を接合し、前枠両端上面に設けた軸着用穴とを軸で軸着する。前枠、後枠の外周に沿う弾性を有する突出部付半円形の袋押えを左右端部の上部付近に遊嵌し、袋押えで袋を係止する突起部を前枠と後枠の両端に設けると共に前枠前方に袋押さえ受けと後枠後方に二本の棒鋼でＬ形の下部とフック形の上部よりなる柄の下部Ｌ形先端部を挿入し蝶ナットで固定する
【００１０】
デザイン、色、価格等によっては、前枠と後枠及び連結板を合成樹脂で一体成形とする。
【発明の効果】
【００１１】
本発明の犬の糞受け用具は、複数の直線と円弧で構成する前枠と後枠に化成品袋の口を内側から外側に被せ前枠と後枠に取り付けた袋押さえと突起部で袋の口を確実に係止することにより犬が排便時に大量の糞（使用実績では１ＫＧでも可能）を受けても袋が枠から外れることはい。又、枠に対して柄が９０度に取り付けてあるので犬の糞受け時には立ったままで使用することが出来る。終了時には前枠を持ち上げて後枠に重ねることにより蓋をした半密閉状態となり衛生的であり見た目も良く繰り返しての使用が簡単に行える。袋の取り外しは袋押さえを上に持ち上げるだけでよく取り付け、取り外しがワンタッチ感覚で行える。
【００１２】
前後枠に装着する袋はセットできる大きさであればどのような形状でも使用でき専用袋は必要としない。但し、本犬糞受け具には毎日の使用が必要なので安価な専用袋として市販品の３０形（幅３００×高さ３５０）が容易にセットできる寸法で構成している。（袋１枚当り約３円）
【００１３】
最近は道路、歩道とも一部の地域を除いてはほとんど舗装されており犬の散歩時にスコップとビニール袋では対応できない状況になっている。いかなる場所においても飼い主が犬と楽しく一緒に散歩ができればその後の一日、明日、明後日と毎日を有意義に過ごすことができる。その為にも犬糞を落下途中で受け止める方式は安全、安心の必須条件である。
【図面の簡単な説明】
【００１４】
【図１】犬の糞受け用具の正面図である。
【図２】犬の糞受け用具の平面図である。
【図３】犬の糞受け用具に袋を取り付けた正面図である。
【図４】犬の糞受け用具の使用実施例を示す正面図である。
【発明を実施するための形態】
【００１５】
複数の直線と円弧よりなる前枠と後枠が重合できるように中心部分で軸着し、それぞれの外周沿って袋取付け用の袋押えと係止用の突起部を設けると共に、前枠に袋押え落下防止用の袋押え受け、後枠に持ち歩きと犬糞受けが容易に行える二本の棒鋼で下部がＬ形で上部がフック形の柄の下部Ｌ形先端部分を挿入して固定する。
【実施例】
【００１６】
以下、本発明の実施例を図面に基づいて説明する。図１は本発明に係わる犬の糞受け用具の正面図、図２は平面図である。直線と円弧で構成する枠を重合可能に前枠１と後枠２に二分割し、後枠２の両端部に軸着用穴を設けた連結板３を当接し、前枠１の両端上面に設けた軸着用穴を軸４で前枠１と後枠２を軸着する。前枠１と後枠２の両端部に外周に沿う突出部付の袋押え５を遊嵌し、更に、袋押え５に作用する突起部６を袋押え５が係止作用する位置に設ける。前枠１には袋押え５の落下防止用の袋押え受け７を設け、後枠２には下部がＬ形、上部がフック形の柄８の下部Ｌ形先端部分を挿入し蝶ナット９で固定する。尚、軸着用の軸４はボルトとナット、軸のカシメ、リベット等、突起部６は打ち込み鋲、枠裏打ち出し等のいずれかを用い、袋押え受け７は前枠下部を切り込み後上方に９０度折り曲げる。又、柄８の取り付けは最初から後枠２に挿着して固定する方法もあるがこの形状では立体的となる為にパッケージ、輸送、陳列等に問題が生じる。従って、本発明では柄８のＬ形先端部分にねじを切り、後枠２に挿入後蝶ナット９で締め付けて固定する使用前はコンパクト、使用時に組み立てる方式としている。                                                            
【００１７】
図３は犬の糞受け用具に袋を取り付けた正面図、図４は犬の糞受け用具の使用実施例を示す正面図である。袋の取り付けは、袋押え５の突出部分を持ち上方に上げておき袋の口を前枠１、後枠２の内側から外側に被せて袋押え５を下げれば突起部６に干渉して袋が４点で挟まれて係止し、袋押え５の下方への落下は袋押え受け７と柄８のＬ形部分で防止される。通常の使用方法は前枠１，後枠２に袋の口を取り付けたら前枠１を後枠２に折り重ね犬の散歩時に持ち歩く。犬が排便動作にはいったら前枠１の袋押え５の突出部分を片方の手で開き犬の尻の下に差しだして落下途中の犬糞を直接袋に受け取る。終わったら前枠を手でも持ち上げて後枠に重ねれば犬糞の入った袋は糞の重みで半密閉状態となる。尚、一般的には犬の散歩時には左手にリード、右手に糞受け用具を持ち前枠１の開閉は左手で行うので袋押え５の突出部は左側（手前）にある方が扱いやすい。逆の場合には袋押え５を差し替えることにより容易に対応できる。又、犬によっては再び排便をする場合もあるがその時は最初の開閉動作を繰り返す。持ち帰ったら袋押え５を上方に持ち上げて袋を外して口を結び行政に従って処分する。
【００１８】
本発明の犬の糞受け用具の使用にあたっては、犬の排便動作を十分把握して受け損ないが無いように注意しなくてはならない。万が一地面に落とした場合の対策としては犬糞拾い用のティシュペーパー等の紙類、又、糞挟み（小型の料理用トングが便利）を持ち歩けばいかなる場所でも安心して散歩させることができる。
【産業上の利用可能性】
【００１９】
様々な場所で見受けられる放置された犬の糞は飼い主のモラルの低さが最大の原因であるが行政関係団体においても啓発運動（立て札、文書）は盛んであっても具体的な行動（例えば用具の斡旋、補助制度等）はなされていないのが現状である。犬糞処理の理想の形態は糞を落下途中で受け取ることである。本発明の犬の糞受け用具は、前後枠に成形と加工が容易なアルミ平板、袋押さえにステンレス製ピアノ線、柄にアルミ棒を使用すれば機械加工のみで容易に製作でき堅牢でもある。又、袋の取り付け、取り外しもワンタッチ感覚で行えるし、柄の上部がフック形なので持ち歩きが便利あり枠に対して柄が９０度なので立ったまま使用できる。使用後には袋が半密閉状態に保てるので清潔感があり繰り返しの使用も簡単に行える。従って、現在市販されている糞受け用具とは異なった特性があり量産により適正な価格が設定され各種機関の推薦が受けられるならば犬の糞の後始末の決定版になると確信する。
【符号の説明】
【００２０】
１    前枠                      
２    後枠                                              
３    連結板                              
４    軸                                    
５    袋押え                  
６    突起部            
７    袋押え受け                    
８    柄  
９    蝶ナット
【図１】
2012000006.tif 000003
【図２】
2012000006.tif 000004
【図３】
2012000006.tif 000005
【図４】
2012000006.tif 000006